(57)【要約】【課題】  包装袋に内容物を封入して密封した包装体を冷凍し、包装体の流通または販売過程において、印刷された包装袋の表面の表示に霜が付着するのを抑制して視認性を確保すると共に、本発明の包装体をボイルして調理後、包装体をボイル用液体から取り出す際、ボイル用液体の排出性に優れた包装袋を提供する。【解決手段】  少なくとも前面を形成する積層フィルム１と後面を形成する積層フィルム２とで構成された袋本体と、前記袋本体の表面に取り付けられる外装部材３と、を備える包装袋１０であって、外装部材３の少なくとも三辺が前記袋本体の表面に取り付けられ、外装部材３の一部に外部と連通する開口部４が少なくとも一つ形成され、開口部４は、その開口部の中心点から外縁１６までの最短距離が１．５ｍｍ以上であることを特徴とすることにより、上記課題を解決することができた。【選択図】      図１
2015160640.tif 000002
【特許請求の範囲】
【請求項１】
少なくとも前面を形成する積層フィルムと後面を形成する積層フィルムとで構成された袋本体と、前記袋本体の表面に取り付けられる外装部材と、を備える包装袋であって、
前記外装部材の少なくとも三辺が前記袋本体の表面に取り付けられ、
前記外装部材の一部に外部と連通する開口部が少なくとも一つ形成され、
前記開口部は、その開口部の中心点から外縁までの最短距離が１．５ｍｍ以上であることを特徴とする包装袋。
【請求項２】
少なくとも前面を形成する積層フィルムと、後面を形成する積層フィルムと、前記前面を形成する積層フィルムと前記後面を形成する積層フィルムとの間を仕切るための仕切部材と、を備える包装袋であって、
前記前面または前記後面のいずれか一方に外部と連通する開口部が少なくとも一つ形成され、
前記開口部は、その開口部の中心点から外縁までの最短距離が１．５ｍｍ以上であることを特徴とする包装袋。
【請求項３】
前記開口部は、前記包装袋の下縁部の端部付近に形成されることを特徴とする請求項１又は請求項２に記載の包装袋。
【請求項４】
請求項１〜３のいずれかに記載の包装袋に、内容物として冷凍食品を封入することを特徴とする包装体。
【発明の詳細な説明】
【技術分野】
【０００１】
本発明は、包装袋及びそれを用いた包装体に関するものである。特に食品を収納した包装袋を外部から冷凍貯蔵するための包装袋及びそれを用いた包装体に関するものである。
【背景技術】
【０００２】
従来、食品を包装袋の内部に収納して密封した状態で冷凍すると、包装袋の外側に霜が付着し、包装体の流通、販売過程において、この冷凍食品の包装体の表面に印刷された表示の視認性が損なわれるので、これを防ぐ対策として種々の方法が提案されている。
【０００３】
例えば、特許文献１には、内容物を収容する内袋と、この内袋を覆い当該内袋と接合される外袋とを備え、この内袋と外袋とが接合される部分の一部に、空気通路が形成されている包装袋が開示されている（特許文献１）。
【先行技術文献】
【特許文献】
【０００４】
【特許文献１】特開２０１２−０１２０８２号公報
【発明の概要】
【発明が解決しようとする課題】
【０００５】
しかしながら、上記のような包装袋にしただけでは、内容物の充填量または充填の仕方によっては空気通路が塞がる場合があり、霜の付着を十分には防止することができない場合があった。
【０００６】
本発明は、上記の問題を解決するためのものであり、包装袋に内容物を封入して密封した包装体を冷凍し、包装体の流通または販売過程において、印刷された包装袋の表面の表示に霜が付着するのを抑制して視認性を確保すると共に、本発明の包装体をボイルして調理後、包装体をボイル用液体から取り出す際、ボイル用液体の排出性に優れた包装袋を提供することを目的とする。
【課題を解決するための手段】
【０００７】
上記目的は以下の本発明によって達成される。即ち、本発明の包装袋は、少なくとも前面を形成する積層フィルムと後面を形成する積層フィルムとで構成された袋本体と、前記袋本体の表面に取り付けられる外装部材と、を備える包装袋であって、前記外装部材の少なくとも三辺が前記袋本体の表面に取り付けられ、前記外装部材の一部に外部と連通する開口部が少なくとも一つ形成され、前記開口部は、その開口部の中心点から外縁までの最短距離が１．５ｍｍ以上であることを特徴とする。
【０００８】
また、本発明の包装袋は、少なくとも前面を形成する積層フィルムと、後面を形成する積層フィルムと、前記前面を形成する積層フィルムと前記後面を形成する積層フィルムとの間を仕切るための仕切部材と、を備える包装袋であって、前記前面または前記後面のいずれか一方に外部と連通する開口部が少なくとも一つ形成され、前記開口部は、その開口部の中心点から外縁までの最短距離が１．５ｍｍ以上であることを特徴とする。
【０００９】
また、本発明の包装袋において、前記開口部は、前記包装袋の下縁部の端部付近に形成されることを特徴とする。
また、本発明の包装体は、内容物が、冷凍食品であることを特徴とする。
【発明の効果】
【００１０】
本発明の包装袋によれば、内容物の収納部とその外部に接合する積層フィルムに、外部と連通する開口部を少なくとも１つ形成されており、開口部の中心点から外縁までの最短距離が１．５ｍｍ以上であるので、内容物の冷凍により内容物の収納部に霜が発生していても、印刷された外装部材の表面には霜が発生せず、視認性を確保することができる。
また、開口部の中心点から外縁までの最短距離が１．５ｍｍ以上であるので、本発明の包装体をボイルして調理後、包装袋からボイル用液体を排出する時間を短縮することができる。
【図面の簡単な説明】
【００１１】
【図１】本発明の第１の実施形態に係る包装袋の正面図である。
【図２】図１中のＡ−Ａ断面図である。
【図３】本発明の第１の実施形態に係る包装袋の分解図である。
【図４】本発明の第１の実施形態に係る包装袋に内容物が内部に収納され、上部シール部で封止された包装体の断面図である。
【図５】本発明の第１の実施形態に係る包装袋の分解断面図である。
【図６】本発明の包装袋に係る開口部の変形例の説明図である。
【図７】本発明の第１の実施形態に係る包装袋の第１変形例を示す正面図である。
【図８】本発明の第１の実施形態に係る包装袋の第２変形例を示す正面図である。
【図９】本発明の第１の実施形態に係る包装袋の第２変形例を示す分解図である。
【図１０】本発明の第１の実施形態に係る包装袋の第３変形例を示す分解図である。
【図１１】本発明の第２の実施形態に係る包装袋の正面図である。
【図１２】図１０中のＢ−Ｂ断面図である。
【図１３】本発明の第２の実施形態に係る包装袋に内容物が内部に収納され、上部シール部で封止された包装体の断面図である。
【図１４】本発明の第２の実施形態に係る包装袋の分解図である。
【図１５】本発明の第２の実施形態に係る包装袋の分解断面図である。
【図１６】本発明の第２の実施形態に係る包装袋の変形例を示す正面図である。
【発明を実施するための形態】
【００１２】
以下、本発明を実施するための形態を図面に基づいて詳細に説明する。なお、下記実施形態により本発明が限定されるものではない。また、下記実施形態で開示した構成要素は適宜組み合わせることが可能である。
【００１３】
［第１の実施形態］
本発明の第１の実施形態に係る包装袋について説明する。図１は本発明の第１の実施形態に係る包装袋の正面図であり、図２は図１中のＡ−Ａ断面図であり、図３は本発明の第１の実施形態に係る包装袋の分解図であり、図４は本発明の第１の実施形態に係る包装袋に内容物１３が内部に収納され、上部シール部５で封止された包装体２０の断面図であり、図５は本発明の第１の実施形態に係る包装袋の分解断面図である。
図１〜図５に示すように、第１の実施形態において、包装袋１０は、前面を形成する積層フィルム１と、後面を形成する積層フィルム２の対向する周辺縁部のうち、内容物を収納するための上縁部を残して側部シール部６と底部シール部７の縁部を接合して内容物を収納する袋本体９と、袋本体９の表面に側部シール部６と底部シール部７の縁部で接合する外装部材３と、を備える包装袋であって、外装部材３の一部に外部と連通する開口部４を少なくとも一つ形成している。なお、図１に内容物を収納後に封止される箇所が上部シール予定部５’として図示されている。本発明の包装体の内容物１３は冷凍食品である。
【００１４】
本発明において、冷凍食品とは、少なくとも販売時に−１８℃以下の低温を保持して取り扱われる食品である。なお、販売時だけでなく、製造時や流通時に冷凍状態であってもよい。
冷凍食品は、例えば、ハンバーグ、ミートボール、水産加工品、やきそば、やきうどん、ご飯またはこれに類する調理済み食品などである。
【００１５】
（袋本体）
袋本体９は、少なくとも前面を形成する積層フィルム１と、後面を形成する積層フィルム２とを備える。
図５に示すように、袋本体９を構成する前面を形成する積層フィルム１と、後面を形成する積層フィルム２は、少なくとも基材層１１と最内層である熱接着性樹脂層１２を備える。
前面を形成する積層フィルム１、および後面を形成する積層フィルム２の厚みは、所望の耐衝撃性および取扱性を有していれば特に限られることはなく、例えば、１０μｍ〜１００μｍとすることができる。なお、自立性の観点から、前面と後面を形成する積層フィルムの厚みは同一であることが好ましい。
また、基材層１１と熱接着性樹脂層１２との間に中間層を備えてもよい。また、基材層１１の上に更に熱接着性樹脂層１２を積層してもよい。
また、各層の間には、接着剤、アンカーコート剤、熱接着性樹脂などからなる接着層を設けてもよい。
【００１６】
基材層１１は、印刷適性、強度、耐熱性などを有する素材から選択され、ポリプロピレン、ポリエステル、ポリアミドなどの樹脂を製膜して得られる無延伸または延伸フィルムを用いることができる。基材層１１は、上記樹脂を二軸延伸したフィルムであることが好ましい。また、基材層１１に、金属単体あるいは珪素やアルミニウムなどの酸化物などを蒸着して、ガスバリヤー性を付与するようにしてもよい。
【００１７】
熱接着性樹脂層１２は、熱によって溶融し相互に融着し得るものであればよく、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレン又はポリプロピレン等のポリオレフィン系樹脂をアクリル酸、メタクリル酸、無水マレイン酸、フマール酸、その他の不飽和カルボン酸で変性した酸変性ポリオレフィン系樹脂、その他の樹脂の１種又は２種以上からなる樹脂をフィルム又はシートの形態で使用することができる。ポリエチレンは、その原料として、バイオマス由来のエチレンを重合したものであってもよい。
【００１８】
中間層は、例えば、中間層にバリア性を付与するため、ポリビニルアルコール樹脂を製膜して形成されるフィルム、エチレン−酢酸ビニル共重合体のけん化物からなる樹脂を製膜して形成されるフィルム、ポリアクリロニトリル、ＭＸＤ６系ナイロン（メタキシレンジアミンとアジピン酸との重縮合反応で生成するアミド構造単位を９０モル％以上含有するポリアミド若しくはポリアミド共重合体）などのバリアフィルム、アルミニウムなどの金属箔や前記各種のフィルムに塩化ビニリデンなどの防湿コートを施したファイル、ポリエステル、ポリプロピレン、ポリアミド、ポリカーボネートなどのフィルムからなる支持体に直接に金属単体あるいは珪素やアルミニウムなどの酸化物などを蒸着したフィルムなどを用いることができる。また、中間層としては、例えば、遮光性を付与するため、アルミニウム箔、フィルムにアルミ蒸着したフィルムなどを用いることができる。また、中間層としては、例えば、中間層の強度を向上させるためには、ポリエステル、ポリプロピレン、ポリアミド、ポリカーボネートなどのフィルムからなる支持体を用いることができる。
【００１９】
接着層は、上記した各層間の接着力を高めるためのものであり、接着層は、基材層１１と中間層と熱接着性樹脂層１２との層間の接着力を高める機能を有する層である。
接着層が、接着剤を用いて形成される場合、ドライラミネーション法により形成される。ラミネート用接着剤としては、例えば、１液型あるいは２液型の硬化ないし非硬化タイプのビニル系、（メタ）アクリル系、ポリアミド系、ポリエステル系、ポリエーテル系、リウレタン系、エポキシ系、ゴム系、その他などの溶剤型、水性型、あるいは、エマルジョン型などの接着剤を用いることができる。上記のラミネート用接着剤のコーティング方法としては、例えば、ダイレクトグラビアロールコート法、グラビアロールコート法、キスコート法、リバースロールコート法、フォンテン法、トランスファーロールコート法、その他の方法で積層フィルムを構成する層の塗布面に塗布することができる。塗布量としては、０．１ｇ／ｍ2〜１０ｇ／ｍ2（乾燥状態）が好ましく、１ｇ／ｍ2〜５ｇ／ｍ2（乾燥状態）がより好ましい。
【００２０】
接着層が、熱可塑性樹脂を用いて形成される場合、接着層は、溶融押出しラミネーション法により形成される。接着樹脂層に使用できる熱可塑性樹脂としては、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、メタロセン触媒を利用して重合したエチレン・αオレフィンとの共重合体樹脂、エチレン・ポリプロピレン共重合体樹脂、エチレン・酢酸ビニル共重合体樹脂、エチレン・アクリル酸共重合体樹脂、エチレン・アクリル酸エチル共重合体樹脂、エチレン・メタクリル酸共重合体樹脂、エチレン・メタクリル酸メチル共重合体樹脂、エチレン・マレイン酸共重合体樹脂、アイオノマー樹脂、ポリオレフィン樹脂に不飽和カルボン酸、不飽和カルボン酸、不飽和カルボン酸無水物、エステル単量体をグラフト重合、または、共重合した樹脂、無水マレイン酸をポリオレフィン樹脂にグラフト変性した樹脂などを用いることができる。これらの材料は、一種単独または二種以上を組み合わせて使用することができる。
【００２１】
（外装部材）
外装部材３は、未シール部を残して袋本体９の表面に取り付けるフィルムである。また、外装部材３には、製品内容や絵柄等を表示するための印刷表示が設けられる。
図５に示すように、外装部材３は、少なくとも基材層１１で構成され、基材層１１に熱接着性樹脂層１２を積層してもよい。
また、各層の間には、接着剤、アンカーコート剤、熱接着性樹脂などからなる接着層を設けてもよい。
本実施形態において、袋本体９に外装部材が取り付けるとは、袋本体９と別体の外装部材を袋本体に接合するだけでなく、袋本体を構成する表裏面の積層フィルムの一部を折り曲げて外装部材としたものも含む概念である。
【００２２】
外装部材３を構成する基材層１１は、印刷適性、強度、耐熱性などを有する素材から選択され、前面を形成する積層フィルム１と、後面を形成する積層フィルム２を構成する基材層と同様の素材を使用することができる。
また、外装部材３に基材層１１を備えることで、袋本体９の形状に追従しにくくなるので、袋本体９に内容物を充填して密封した包装体２０の状態で、外装部材３と袋本体９との接着されていない縁部で、空壁ができるので、袋本体９と外装部材３との間を大気と連通させやすくなる点で、外装部材３に形成された印刷表示への霜付着を確実に防止することができる。
【００２３】
外装部材３を構成する熱接着性樹脂層１２は、熱によって溶融し相互に融着し得るものであればよく、前面を形成する積層フィルム１と、後面を形成する積層フィルム２を構成する熱接着性樹脂層と同様の素材を使用することができる。
【００２４】
袋本体９と外装部材３との接合は、ホットメルトや接着剤を塗布して接合してもよいし、熱圧着法や超音波法を用いて接合してもよい。
【００２５】
第１の実施形態は、袋本体９と外装部材３との間を大気と連通させることで、外装部材３に形成された印刷表示への霜付着を防止するものであるが、外装部材３が袋本体９に追従しにくくすることを考慮すると、外装部材３は、少なくとも三辺で袋本体９と接合することが好ましい。
また、本発明の包装体をボイルして調理後、包装体をボイル用液体から取り出す際、意図する方向へボイル用液体が垂れるように誘導することを考えると、断続的でなく連続的に接合、すなわち、袋本体の縁部に沿って接合する方が、後述する開口部４の位置から確実にボイル用液体を排出できるので好ましい。
なお、外装部材３は、袋本体９の側部シール部６および底部シール部７に重なるように形成してもよいし、重ならないように形成してもよい。
【００２６】
（開口部）
開口部４は、外部と連通するために外装部材に少なくとも１つ以上形成されるものであって、外装部材３の未シール部に形成されるものである。開口部を所望の位置に形成することにより、意図する方向へボイル用液体が垂れるように誘導することができる。
開口部の大きさは、その開口部の中心点から外縁１６までの最短距離ｄ1が１．５ｍｍ以上であることが好ましい。このことにより、内容物の冷凍により袋本体９に霜が発生していても、外装部材３の表面には霜が発生しないので、外装部材３に設けられた印刷表示の視認性を確保することができる。
開口部４の中心点から外縁１６までの最短距離ｄ1は１．５ｍｍ以上、５ｍｍ以下の範囲にあることが好ましく、２．５ｍｍ以上、５ｍｍ以下の範囲であることがより好ましい。中心点から外縁１６までの最短距離ｄ1が１．５ｍｍ未満であると、外部と連通しにくくなり、外装部材の表面に霜が付着しやすくなるので好ましくない。
【００２７】
開口部４を形成する位置は、外装部材３の未シール部、すなわち、袋本体９と外装部材３との接着領域より内側の領域に形成される。
また、開口部を形成する位置は、包装袋１０の下縁部の端部付近であることが好ましい。このことにより、本発明の包装体をボイルして調理後、包装体をボイル用液体から取り出す際、外装部材の下縁部の端部に溜まったボイル用液体を効率的に外部へ排出することができる。
例えば、包装袋の上方を開封して調理後の内容物を取り出す場合、包装袋の底部シール部７側の下縁部の端部に開口部を形成すると、内容物を取り出す際のボイル用液体の液垂れを抑制することができるので好ましい。
具体的な開口部を形成する位置Ｌ1、Ｌ2は、包装袋の側部シール部６の内側シールラインから３ｍｍ以上、１５ｍｍ以下の範囲で設けることが好ましく、３ｍｍ以上、８ｍｍ以下の範囲で設けることがより好ましい。
また、包装袋の形態が、三方シール等のガセットがない形態の包装袋の場合、開口部を形成する位置Ｌ1、Ｌ2は、包装袋の側部シール部６または底部シール部７内側シールラインから３ｍｍ以上、１５ｍｍ以下の範囲に設けることが好ましく、３ｍｍ以上、８ｍｍ以下の範囲に設けることがより好ましい。
なお、図１において、包装袋の底部シール部７の内側シールラインからの距離がＬ1で示され、側部シール部６の内側シールラインからの距離がＬ2で示されている。
【００２８】
開口部の形状は、図１に示すような円形以外に、図６（ａ）に示すような楕円形であってもよく、また、図６（ｂ）に示すような四角形等の多角形の形状であってもよく、更に図６（ｃ）に示すように長円形であってもよい。
なお、長円形とは、２本の直線と２本の円弧とで構成され、直線の両端に円弧が連結されたものである。また、円弧に代えて、直線の両端に円弧を備えるものとしてもよい。
四角形とは、平行四辺形、菱形、台形を含むものである。
開口部の形状は、角部を基点として破断が発生することがあるため、角部が尖っていない円形、楕円形、長円形の方が好ましい。
【００２９】
図７に示すように、開口部４は、２つ以上設けてもよい。開口部を複数個、設けることにより、効率的に外部にボイル用液体を排出することができる。
【００３０】
図８は、本発明の第１の実施形態に係る包装袋の第２変形例を示す正面図である。
図８に示すように、底部に折込部１７を有するスタンディングパウチや、図示しないが、側部に折込部を有するサイドガセットパウチやの場合は、折込部１７よりも内側の領域に開口部４を形成することが好ましい。このことにより、包装体をボイル用液体から取り出し後、包装袋に内容物を充填して起立させた状態でも、外部にボイル用液体を排出することができる。
また、ガセット部の折込部１７からの距離Ｌ3が、３ｍｍ以上、１５ｍｍ以下の範囲に形成されることが好ましく、３ｍｍ以上、８ｍｍ以下の範囲に形成されることがより好ましい。
なお、図８において、底面フィルム（ガセットフィルム）の折込部１７からの距離がＬ3で示されており、側部シール部６の内側シールラインからの距離がＬ2で示されている。
【００３１】
図９は、図８の包装袋の分解図である。
本実施形態の包装袋は、開口部４が形成された外装部材３と、前面を形成する積層フィルム１と後面を形成する積層フィルム２の間に、底面フィルム１４を備える。底面フィルム１４を設けることにより、袋を起立状態で保持することができる。
底面フィルム１４の両側に切欠部１５を形成してもよい。この切欠部１５を通して前面と後面との対向する部分がヒートシールすることができる。
底面フィルム１４に用いる材料としては、前面を形成する積層フィルム１と後面を形成する積層フィルム２と同様の材料を挙げることができる。
また、底面フィルム１４の厚みは、前面を形成する積層フィルム１と後面を形成する積層フィルム２と同様の厚みとすることができる。
【００３２】
図１０は、本発明の第１の実施形態に係る包装袋の第３変形例を示す分解図である。
外装部材は、前面を形成する積層フィルム１と後面を形成する積層フィルム２のいずれか一方に取り付けるだけでなく、図１０に示すように、前面を形成する積層フィルム１と後面を形成する積層フィルム２の両面にそれぞれ取り付けられてもよい。外装部材は、前面を形成する積層フィルム１と後面を形成する積層フィルム２のいずれも取り付けられることにより、内容物の冷凍により袋本体９の両面に霜が発生していても、それぞれの外装部材３の表面には霜が発生しないので、外装部材３に設けられた印刷表示の視認性を確保することができる。
【００３３】
［第２の実施形態］
本発明の第２の実施形態に係る包装袋３０について説明する。なお、以下の説明および以下の説明で用いる図面では、第１の実施形態と同様に構成される部分について、第１の実施形態と同一の符号を用いることとし、重複する説明を省略する。
図１１は、本発明の第２の実施形態に係る包装袋の正面図であり、図１２は、図１０中のＢ−Ｂ断面図であり、図１３は、本発明の第２の実施形態に係る包装袋に内容物が内部に収納され、上部シール部で封止された包装体４０の断面図であり、図１４は、本発明の第２の実施形態に係る包装袋の分解図であり、図１５は、本発明の第２の実施形態に係る包装袋の分解断面図である。
【００３４】
本発明の第２の実施形態に係る包装袋は、図１４に示すように、少なくとも前面を形成する積層フィルム１と、後面を形成する積層フィルム２と、前面と後面との間を仕切るための仕切部材３１とを備える。
次に、仕切部材３１は、前面を形成する積層フィルム１の対向する周辺縁部を接合する。しかる後、後面を形成する積層フィルム２に対向する周辺縁部のうち、内容物を収納するための上縁部を残して接合することで袋本体９を形成し、図１１および図１２に示す包装袋３０を製造することができる。
【００３５】
本発明の第２の実施形態に係る包装袋の構成材料として、図１５に示すように、前面を形成する積層フィルム１と、後面を形成する積層フィルム２は、少なくとも基材層１１と最内層である熱接着性樹脂層１２を備える。また、基材層１１と熱接着性樹脂層１２との間に中間層を備えてもよい。また、基材層１１の上に更に熱接着性樹脂層１２を積層してもよい。また、各層の間には、接着剤、アンカーコート剤、熱接着性樹脂などからなる接着層を設けてもよい。
基材層１１と熱接着性樹脂層１２、中間層、接着層を構成する材料は、第１の実施形態に係る包装袋の材料と同様の材料を用いることができる。
前面および後面を形成する積層フィルム１、２の厚みは、耐衝撃性および取扱性を有していれば特に限られることはなく、例えば、１０μｍ〜１００μｍとすることができる。なお、自立性の観点から、前面と後面の厚みは同一であることが好ましい。
【００３６】
（仕切部材）
仕切部材３１は、包装袋３０内に設けられ、前面と後面の積層フィルム１、２との間を仕切るための部材である。仕切部材３１によって、包装袋３０は、内容物を収納する領域（袋本体９）と外部と連通する領域とに分けられる。
仕切部材３１の形状は、前面および後面を形成する積層フィルム１、２と同一の形状である必要はなく、包装袋３０の周縁である側部シール部６および底部シール部７まで設けることができる限りにおいて任意の形状とすることができる。
なお、図１１に仕切部材３１を前面および後面を形成する積層フィルム１、２より一回り小さい形状としたものが図示されている。
仕切部材３１の厚みは、所望の耐衝撃性および取扱性を有していれば特に限られることはなく、例えば、５０μｍ〜１００μｍとすることができる。
【００３７】
仕切部材３１は、少なくとも基材層１１と基材層１１の両面に熱接着性樹脂層１２を備える。図１５に、基材層１１と、基材層１１の両面に熱接着性樹脂層１２が積層された仕切り部材３１を示す。基材層の両面に熱接着性樹脂層１２を積層することにより、前面および後面を形成する積層フィルム１、２とのフィルム間に仕切部材３１を介して、外側から熱圧着することができる。
また、仕切部材３１は、基材層１１と熱接着性樹脂層１２との間に中間層を備えてもよい。仕切部材３１は、酸素や水蒸気や液体などを透過させない材料であることが好ましい。このことにより、袋本体９内の内容物の品質を維持することができる。
また、各層の間には、接着剤、アンカーコート剤、熱接着性樹脂などからなる接着層を設けてもよい。
基材層と熱接着性樹脂層、中間層、接着層を構成する材料は、第１の実施形態に係る包装袋の材料と同様の材料を用いることができる。
【００３８】
（開口部）
開口部４は、前面を形成する積層フィルム１と後面を形成する積層フィルム２のうち、いずれか一方に、少なくとも１つ以上形成されるものである。例えば、図１１に示すように、開口部４は前面を形成する積層フィルム１に形成される。そして、開口部４が設けられた積層フィルム、すなわち、前面を形成する積層フィルム１には、製品内容や絵柄等を表示するための印刷表示が設けられている。
開口部の大きさは、開口部４の中心点から外縁１６までの最短距離ｄ1が１．５ｍｍ以上であることが好ましい。このことにより、内容物の冷凍により内容物の収納部に霜が発生していても、印刷された外部の表面には霜が発生せず、視認性を確保することができる。
開口部４の中心点から外縁１６までの最短距離ｄ1は１．５ｍｍ以上、５ｍｍ以下の範囲にあることが好ましく、２．５ｍｍ以上、５ｍｍ以下の範囲であることがより好ましい。中心点から外縁１６までの最短距離ｄ1が１．５ｍｍ未満であると、外部と連通しにくくなり、外装部材の表面に霜が付着しやすくなるので好ましくない。
【００３９】
図１１に示すように、開口部４を形成する位置は、前面を形成する積層フィルム１と仕切部材３１との接合領域より内側の領域に形成される。
また、開口部を形成する位置は、包装袋３０の下縁部の端部付近であることが好ましい。このことにより、本発明の包装体をボイルして調理後、包装体をボイル用液体から取り出す際、前面を形成する積層フィルム１と仕切部材３１との間に溜まったボイル用液体を効率的に外部へ排出することができる。
例えば、包装袋の上方を開封して調理後の内容物を取り出す場合、包装袋の底部シール部７側の下縁部の端部に開口部を形成すると、内容物を取り出す際のボイル用液体の液垂れを抑制することができるので好ましい。
具体的な開口部を形成する位置Ｌ1、Ｌ2は、包装袋の側部シール部６の内側シールラインから３ｍｍ以上、１５ｍｍ以下の範囲で設けることが好ましく、３ｍｍ以上、８ｍｍ以下の範囲で設けることがより好ましい。
また、包装袋の形態が、三方シール等のガセットがない形態の包装袋の場合、開口部を形成する位置Ｌ1、Ｌ2は、包装袋の底部シール部７または上部シール部（上部シール予定部も含む）の内側シールラインから３ｍｍ以上、１５ｍｍ以下の範囲に設けることが好ましく、３ｍｍ以上、８ｍｍ以下の範囲に設けることがより好ましい。
なお、図１１において、包装袋の底部シール部７の内側シールラインからの距離がＬ1で示され、側部シール部６の内側シールラインからの距離がＬ2で示されている。
【００４０】
開口部の形状は、図１１に示すような円形以外に、図６に示すような楕円形、四角形等の多角形、長円形であってもよい。中でも、円形、楕円形、長円形の方が好ましい。
【００４１】
図１６に示すように、底部に折込部１７を有するスタンディングパウチや、図示しないが、側部に折込部を有するサイドガセットパウチやの場合は、折込部１７よりも内側の領域に開口部を形成することが好ましい。このことにより、包装体をボイル用液体から取り出し後、包装袋に内容物を充填して起立させた状態でも、外部にボイル用液体を排出することができる。
また、ガセット部の折込部１７からの距離Ｌ3が、３ｍｍ以上、１５ｍｍ以下の範囲に形成されることが好ましく、３ｍｍ以上、８ｍｍ以下の範囲に形成されることがより好ましい。
【００４２】
以上の通り、包装袋３０は、袋本体内に、仕切部材３１を備え、仕切部材３１が容器本体１１の側部シール部６および底部シール部７の領域まで設けられていることによって、内容物を収容する袋本体９と、開口部を介して外部と連通する領域とに仕切られている。包装袋３０は、袋本体９内に収容される食品等の内容物の保存性を高い状態で維持することができる。また、開口部の中心点から外縁１６までの最短距離が１．５ｍｍ以上であるので、内容物の冷凍により仕切部材３１に霜が発生していても、開口部４が形成された積層フィルムの表面には霜が発生せず、開口部４が形成された積層フィルムに設けられた印刷表示の視認性を確保することができる。また、開口部を所望の位置に形成することによって、本発明の包装体をボイルして調理後、包装体をボイル用液体から取り出す際、意図する方向へボイル用液体が垂れるように誘導されるので、内容物を取り出す際の液垂れを抑制することができる。
【実施例】
【００４３】
次に、本発明を実施例により具体的に説明する。ただし、本発明は、これらの例によって、何ら限定されるものではない。
【００４４】
＜実施例１＞
[前面を形成する積層フィルム１]
最外層である第１熱接着性樹脂層として、低密度ポリエチレンフィルム（厚み２５μｍ）を用い、中間層として、エチレンビニルアルコール共重合体フィルム（厚み１５μｍ）を用い、基材層として、二軸延伸されたナイロンフィルム（厚み１５μｍ）を用い、最内層である第２熱接着性樹脂層として、低密度ポリエチレンフィルム（厚み４０μｍ）を用い、ウレタン系二液硬化型接着剤を介してドライラミネーション法により順次積層して、前面を形成する積層フィルム１を準備した。層構成は、低密度ポリエチレンフィルム／接着層／エチレンビニルアルコール共重合体フィルム／接着層／二軸延伸されたナイロンフィルム／接着層／低密度ポリエチレンフィルムである。積層フィルム１は、高さ寸法１７５ｍｍ、幅寸法１５０ｍｍの矩形に切り出して形成した。
【００４５】
[後面を形成する積層フィルム２]
後面を形成する積層フィルム２は、前面を形成する積層フィルム１と同様の方法で、同一の層構成積層フィルムを得た。しかる後、前面を形成する積層フィルム１と同形状に切り出して形成した。
【００４６】
[外装部材３]
基材層として、二軸延伸されたナイロンフィルム（厚み２５μｍ）を用い、熱接着性樹脂層として、低密度ポリエチレンフィルム（厚み３０μｍ）を用い、ウレタン系二液硬化型接着剤を介してドライラミネーション法により順次積層して外装部材３を準備した。
次いで、基材層側に絵柄を印刷した。外装部材３は、積層フィルム１と同形状、同サイズに切り出して２枚形成した。
しかる後、外装部材３の側端から５ｍｍの位置、下端から５ｍｍの位置に開口部４の中心点から外縁１６までの最短距離ｄ１、すなわち、半径２．５ｍｍの円形からなる開口部４を１つ形成した。
【００４７】
[包装袋１０の作製]
開口部４が形成された第１の外装部材３、前面を形成する積層フィルム１、後面を形成する積層フィルム２を順に重ね合わせ、上部ヒートシール予定部を残し、三方の端部をヒートシールして、袋本体の側部シール部６と底部シール部７を形成するとともに、第１の外装部材３を袋本体９に取り付けることにより、袋本体９の表側の面に外装部材が取り付けられた包装袋を得た。なお、袋本体の側部シール部６（外装部材の側部シール部）および、底部シール部７（外装部材の底部シール部）は、袋本体の端部から設け、シール幅は５ｍｍ幅とした。
【００４８】
＜実施例２＞
実施例２は、開口部４の半径を５．０ｍｍに変更した以外は実施例１と同じとした包装袋の例である。
【００４９】
＜実施例３＞
実施例３は、開口部４の半径を１．５ｍｍに変更した以外は実施例１と同じとした包装袋の例である。
【００５０】
＜比較例１＞
比較例１は、開口部の半径を０．５ｍｍに変更した以外は実施例１と同じとした包装袋の例である。
【００５１】
＜比較例２＞
[前面を形成する積層フィルム]
前面を形成する積層フィルムは、実施例１と同じとした。
[後面を形成する積層フィルム]
後面を形成する積層フィルムは、実施例１と同じとした。
[外装部材]
外装部材は、寸法を高さ１００ｍｍ、幅１５０ｍｍに切り出し、開口部を形成しない以外は実施例１と同じとした。
[包装袋の作製]
開口部が形成されていない第１の外装部材、前面を形成する積層フィルム、後面を形成する積層フィルムを順に重ね合わせ、上部ヒートシール予定部を残し、三方の端部をヒートシールして、袋本体の側部シール部６と底部シール部７を形成するとともに、第１の外装部材を、袋本体の下端から１０ｍｍの位置に取り付けることにより、袋本体の表側の面に開口部が形成されていない外装部材が取り付けられた包装袋を得た。なお、袋本体の側部シール部６（外装部材の側部シール部）および、底部シール部７（外装部材の底部シール部）は、袋本体の端部から設け、シール幅は５ｍｍ幅とした。
【００５２】
＜実施例４＞
[前面を形成する積層フィルム１]
前面を形成する積層フィルム１は、基材層として、二軸延伸されたナイロンフィルム（厚み２５μｍ）を用い、熱接着性樹脂層として、低密度ポリエチレンフィルム（厚み３０μｍ）を用い、ウレタン系二液硬化型接着剤を介してドライラミネーション法により順次積層して、層構成、二軸延伸ナイロンフィルム／接着層／低密度ポリエチレンフィルムの積層フィルムを準備した。
次いで、基材層側に絵柄を印刷した。積層フィルム１は、高さ寸法１７５ｍｍ、幅寸法１５０ｍｍの矩形に切り出して形成した。
しかる後、前面を形成する積層フィルム１の側端から５ｍｍの位置、下端から５ｍｍの位置に開口部４の中心点から外縁１６までの最短距離ｄ１、すなわち、半径２．５ｍｍの円形からなる開口部４を１つ形成した。
【００５３】
[後面を形成する積層フィルム２]
後面を形成する積層フィルム２は、前面を形成する積層フィルム１と同様の方法で、同一の層構成の積層フィルムを得た。しかる後、前面を形成する積層フィルム１と同形状に切り出して形成した。なお、後面を形成する積層フィルム２には、開口部４を形成しなかった。
【００５４】
[仕切部材３１]
仕切部材３１は、最外層である第１熱接着性樹脂層として、低密度ポリエチレンフィルム（厚み２５μｍ）を用い、中間層として、エチレンビニルアルコール共重合体フィルム（厚み１５μｍ）を用い、基材層として、二軸延伸されたナイロンフィルム（厚み１５μｍ）を用い、最内層である第２熱接着性樹脂層として、低密度ポリエチレンフィルム（厚み４０μｍ）を用い、ウレタン系二液硬化型接着剤を介してドライラミネーション法により順次積層して、層構成は、低密度ポリエチレンフィルム／接着層／エチレンビニルアルコール共重合体フィルム／接着層／二軸延伸されたナイロンフィルム／接着層／低密度ポリエチレンフィルムの積層フィルムを準備した。しかる後、前面を形成する積層フィルム１と同形状に切り出して形成した。
【００５５】
[包装袋３０の作製]
まず、仕切部材３１と前面を形成する積層フィルム１の接着性樹脂層側を対向させて順に重ね合わせ、対向する周辺縁部をヒートシールして接合した。次に、後面を形成する積層フィルム２と仕切部材３１の接着性樹脂層側を対向させて順に重ね合わせ、上部シール予定部を残して三方の端部をヒートシールすることにより、前面と後面との間を仕切るための仕切部材を備えた包装袋３０を得た。なお、袋本体の側部シール部６および、底部シール部７は、袋本体の端部から設け、シール幅は５ｍｍ幅とした。
【００５６】
＜実施例５＞
実施例５は、開口部４の半径を５．０ｍｍに変更した以外は実施例４と同じとした包装袋３０の例である。
【００５７】
＜実施例６＞
実施例６は、開口部４の半径を１．５ｍｍに変更した以外は実施例４と同じとした包装袋３０の例である。
【００５８】
＜比較例３＞
比較例３は、開口部の半径を０．５ｍｍに変更した以外は実施例５と同じとした包装袋の例である。
【００５９】
＜比較例４＞
[前面を形成する積層フィルム]
前面を形成する積層フィルムは、開口部を形成しない以外は実施例５と同じとした。
[後面を形成する積層フィルム]
後面を形成する積層フィルムは、実施例５と同じとした。
[仕切部材]
仕切部材は、実施例５と同じとした。
[包装袋の作製]
実施例５と同様の製造方法で前面と後面との間を仕切るための仕切部材を備えた包装袋を作製した。
【００６０】
＜試験＞
実施例１〜６、比較例１〜４の包装袋を用いて、以下の試験を行った。
【００６１】
[外観]
包装袋の上部の開口からハンバーグを真空充填し、上部シール部を形成した。しかる後、マイナス３０℃の冷凍庫に２時間保管し、９０℃で３０分間のボイル処理後、実施例１〜３および比較例１〜２については外装部材の絵柄を設けた部分、実施例４〜６および比較例３〜４については前面を形成する積層フィルムの絵柄を設けた部分の外観を目視にて観察した。実施例及び比較例の各包装袋のサンプル数（ｎ数）は５とした。
○  ：  霜の発生無し
×  ：  霜の発生有り
【００６２】
[排出性]
包装袋の上部の開口からハンバーグを真空充填し、上部シール部を形成した。しかる後、９０℃で３０分間のボイル処理後、ボイル用液体（温水）の排出性を評価した。
◎  ：  ボイル用液体が排出でき、且つ、排出時間が１０秒未満であった。
○  ：  ボイル用液体が排出でき、且つ、排出時間が１０秒以上２０秒未満であった。
×  ：  ボイル用液体が残った、または、排出時間が２０秒以上であった。
【００６３】
以上の試験の結果を表１に示す。表１から明らかなように、実施例１〜６の包装袋は、比較例１〜４の包装袋と比べてボイル後の外観、排出性の項目において優れた特性を示した。
【００６４】
【表１】
2015160640.tif 000003
【符号の説明】
【００６５】
１      前面を形成する積層フィルム
２      後面を形成する積層フィルム
３      外装部材
４      開口部
５      上部シール部
５´    上部シール予定部
６      側部シール部
７      底部シール部
９      袋本体
１０、３０      包装袋
１１      基材層
１２      熱接着性樹脂層
１３      内容物
１４      底面フィルム
１５      切欠部
１６      外縁
１７      折込部
２０、４０      包装体
３１      仕切部材
【図１】
2015160640.tif 000004
【図２】
2015160640.tif 000005
【図３】
2015160640.tif 000006
【図４】
2015160640.tif 000007
【図５】
2015160640.tif 000008
【図６】
2015160640.tif 000009
【図７】
2015160640.tif 000010
【図８】
2015160640.tif 000011
【図９】
2015160640.tif 000012
【図１０】
2015160640.tif 000013
【図１１】
2015160640.tif 000014
【図１２】
2015160640.tif 000015
【図１３】
2015160640.tif 000016
【図１４】
2015160640.tif 000017
【図１５】
2015160640.tif 000018
【図１６】
2015160640.tif 000019